(57)【要約】【課題】電子メールアドレスの事前登録が不要であり、かつセキュリティ、プライバシーを確実に保護することができると共に、１回のサービスを迅速かつ確実に処理する。【解決手段】ＵＲＬ通知サービスの主体をＳＭＳとし、利用者が広告に付記された広告電話番号に電話をかけるのみで、当該広告に関するＵＲＬをハイパーテキスト形式で取得できる。ＳＭＳでのＵＲＬ通知サービスであるため、利用者が予め電子メールアドレスを登録したり、発信の度に電子メールアドレスを通知する必要がない。利用者の都合により電子メールアドレスが変更されても何ら影響なくサービスを継続することができる。セキュリティやプライバシーの面からも保護されるため、例えば迷惑メール等の対象となることもなく、遅延が発生することもない。【選択図】      図１
2004289408.tif 000002
【特許請求の範囲】
【請求項１】
ショートメッセージ送受信機能を備え、電話通信網を介して通話又は通信が可能な携帯情報端末を対象として、ＵＲＬを通知するＵＲＬ通知サービスシステムであって、
受信する電話番号に対応してＵＲＬを記憶するＵＲＬ記憶手段と、
前記携帯情報端末から前記電話通信網を介した接続状態を認識する接続状態認識手段と、
前記接続状態認識手段で接続を認識した場合に、前記ＵＲＬ記憶手段から、受信した電話番号に対応するＵＲＬを読み出すＵＲＬ読出手段と、
前記接続状態認識手段で接続を認識した場合に、発信側の電話番号を取得する発信者電話番号取得手段と、
前記発信者電話番号取得手段で取得した電話番号に基づいて、前記発信者の携帯情報端末に向けてショートメッセージによって、前記ＵＲＬをハイパーテキスト形式で送信するショートメッセージ送信手段と、
を有するＵＲＬ通知サービスシステム。
【請求項２】
前記ショートメッセージ送信手段が、前記発信者電話番号取得手段で取得した発信者の電話番号に基づいて、前記携帯情報端末が加入しているショートメッセージサービスに対応した通信プロトコルに基づいて、送信することを特徴とする請求項１記載のＵＲＬ通知サービスシステム。
【請求項３】
ショートメール送受信機能を備え、公衆電話回線網を介して通話又は通信が可能な携帯情報端末を対象として、ＵＲＬを通知するＵＲＬ通知サービスプログラムであって、
コンピュータに、
受信する電話番号に対応してＵＲＬを記憶するＵＲＬ記憶工程と、
前記携帯情報端末から前記公衆電話回線網を介した接続状態を認識する接続状態認識工程と、
前記接続状態認識手段で接続を認識した場合に、前記ＵＲＬ記憶手段から、受信した電話番号に対応するＵＲＬを読み出すＵＲＬ読出工程と、
前記接続状態認識手段で接続を認識した場合に、発信側の電話番号を取得する発信者電話番号取得工程と、
前記発信者電話番号取得手段で取得した電話番号に基づいて、前記発信者の携帯情報端末に向けてショートメールによって、前記ＵＲＬをハイパーテキスト形式で送信するショートメール送信工程と、
を備えた処理を実行させるＵＲＬ通知サービスプログラム。
【請求項４】
前記取得した発信者の電話番号に基づいて、前記携帯情報端末が加入しているショートメッセージサービスに対応した通信プロトコルに基づいて、送信することを特徴とする請求項３記載のＵＲＬ通知サービスシステム。
【請求項５】
前記請求項３又は請求項４に記載のＵＲＬ通知サービスプログラムが記憶された記憶媒体。
【発明の詳細な説明】
【０００１】
【発明の属する技術分野】
本発明は、ショートメッセージ送受信機能を備え、電話通信網を介して通話又は通信が可能な携帯情報端末を対象として、ＵＲＬを通知するＵＲＬ通知サービスシステム、ＵＲＬ通知サービス処理プログラム及び記憶媒体に関するものである。
【０００２】
なお、ＵＲＬとは、Ｕｎｉｆｏｒｍ  Ｒｅｓｏｕｒｃｅ  Ｌｏｃａｔｏｒの略であり、インターネット上に存在する情報にアクセスする手順と所在を記述する規格を言う。一般には、「アクセス方法：／／ドメイン名／ディレクトリ名／ファイル名」の順に記述する。
【０００３】
【従来の技術】
従来、携帯電話やＰＨＳ（以下、携帯電話等という）では、本来の機能は、公衆電話回線網を介して通話することにあるため、電話番号を入力するために必要なキー配列となっている。
【０００４】
一方、近年では、携帯電話やＰＨＳを携帯情報端末として利用し、ブラウザ機能と搭載し、インターネット等へアクセスし、多数のコンテンツからその所望の情報を得るために用いられることも多くなってきている。特に、携帯電話等専用の情報サービス（ホームページ）も多様化されており、これにより、商業用宣伝媒体として、重要な位置付けとなっている。
【０００５】
ところが、携帯電話等のキーの数は、ファンクションキーを除けば１２個となっており、ＵＲＬを入力するために必要なアルファベットは、１２個のキーに割り当てられているのが現状であり、操作性が悪い。また、例えば、ｉモード（登録商標／ドコモ製携帯電話）でのインターネット（特定のＵＲＬ）へのアクセスの場合、まず、「ｉ」と表示されている項目領域を選択し、選択キーを操作し、切り替わった表示項目の中から「ｗｗｗ」を選択して選択キーを操作し、さらに、「ＵＲＬ入力」を選択し選択キーを操作することで、ようやく新規のＵＲＬの入力画面に行き着く。なお、以前にアクセスしたＵＲＬに関しては、列挙表示されており、この中から選択すればよい。
【０００６】
ＵＲＬの入力画面では、「ｈｔｔｐ／／・・・」までが表示され、アルファベットや数字等、特定のＵＲＬの入力待ちとなる。この状態で、１２個のキーを駆使して、ＵＲＬを入力することになる。上記のように、携帯電話等からのインターネットへの接続（ＵＲＬへのアクセス）には、操作性が悪く、非常に手間がかかるといった問題があった。
【０００７】
これを解消するために、特許文献１では、発信者がかける電話番号に対応するＵＲＬを予め記憶しておき、発信者の電話番号に基づいて、この電話番号に割り当てられている電子メールアドレス（ｅメールアドレス）を取得し、取得した電子メールアドレスへ、該当するＵＲＬをハイパーテキスト形式で送信するサービスが提案されている。
【０００８】
すなわち、発信者が広告に記載された電話番号（電車やバス等に見受けられる吊り下げ広告や、チラシ、テレビやラジオ等のメディアによる案内等によって取得する電話番号（以下、広告電話番号という））を携帯電話等から発呼すると、これを受信するサービス提供者側で、広告電話番号に対応するＵＲＬを読出し、発信者が所有する携帯電話の電子メールアドレスにＵＲＬを送信する。このＵＲＬは、ハイパーテキスト形式で送信され、受信した携帯電話の表示では反転表示等、他の情報と区別された状態で表示される。
【０００９】
この反転表示されたＵＲＬを選択キー等で選択することで、自動的に当該ＵＲＬへのアクセスが実行され、少ないキー操作によって所望のＵＲＬへ到達することができる。
【００１０】
【特許文献１】
特許第３３５０６５６号
【発明が解決しようとする課題】
しかしながら、上記特許文献１では、携帯電話に割り当てられている電子メールアドレスが必須となるサービスとなっており、このサービスを利用する者は、予め、電話番号と電子メールアドレスとが対応する登録が必要となる。或いは、サービスを受ける毎に電子メールアドレスを通知しなければならない。
【００１１】
ここで、電子メールの場合、利用者の都合によって電子メールアドレスを変更することができるため、利用者は継続して上記サービスを受けたい場合には、アドレスを変更する度に、新たな電子メールアドレスを届け出なければならない。
【００１２】
また、電子メールの場合、インターネットを介して、情報の送受信が実行されるため、セキュリティ、プライバシーの問題がある。
【００１３】
さらに、電子メールの場合、パケット通信の特性上、遅延が発生することがある。また、送信された電子メールは一旦、加入している携帯電話のキャリア側に設けたメールサーバー（メールセンター）等に届き、このメールサーバーから受信者側へ送信するため、何らかの障害が発生した場合、時間をおいて再送信することになり、１回のサービス（最初の電話からＵＲＬが届くまで）が短時間で終了しない場合があり得る。
【００１４】
このように、電子メールを必須としたＵＲＬの通知サービスは、実用面で大きな問題が多々発生する可能性が高い。
【００１５】
本発明は上記事実を考慮し、電子メールアドレスの事前登録が不要であり、かつセキュリティ、プライバシーを確実に保護することができると共に、１回のサービスを迅速かつ確実に処理することができるＵＲＬ通知サービスシステム、ＵＲＬ通知サービス処理プログラム及び記憶媒体を得ることが目的である。
【００１６】
【課題を解決するための手段】
第１の発明は、ショートメッセージ送受信機能を備え、公衆電話回線網を介して通話又は通信が可能な携帯情報端末を対象として、ＵＲＬを通知するＵＲＬ通知サービスシステムであって、受信する電話番号に対応してＵＲＬを記憶するＵＲＬ記憶手段と、前記携帯情報端末から前記公衆電話回線網を介した接続状態を認識する接続状態認識手段と、前記接続状態認識手段で接続を認識した場合に、前記ＵＲＬ記憶手段から、受信した電話番号に対応するＵＲＬを読み出すＵＲＬ読出手段と、前記接続状態認識手段で接続を認識した場合に、発信側の電話番号を取得する発信者電話番号取得手段と、前記発信者電話番号取得手段で取得した電話番号に基づいて、前記発信者の携帯情報端末に向けてショートメッセージによって、前記ＵＲＬをハイパーテキスト形式で送信するショートメッセージ送信手段と、を有している。
【００１７】
第１の発明によれば、サービスを受けようとする者が携帯情報端末を使って、所定の電話番号を入力し、電話をかける。この所定の電話番号とは、広告等に付記されている電話番号であり、広告主は、例えば、「・・・の詳細は携帯電話からこの電話番号へ」、「・・・の申込は携帯電話から下記の電話番号へ」等の注釈をつけて電話番号を付記する。以下、これを広告電話番号という。
【００１８】
接続状態認識手段では接続を認識し、ＵＲＬ記憶手段からこの受信した広告電話番号に対応するＵＲＬを読み出す。なお、接続状態認識手段では、集中して受信（着呼）があった場合に、これを所定の順序で処理するために時系列処理等、回線の接続管理を行うことを含む。
【００１９】
また、発信者電話番号取得手段では、発信者の電話番号を取得する。例えば、携帯電話等では、デジタル通信であり、非通知指定がされていない限り、発信者の電話番号を特定することができる。言い換えれば、受信した際に、非通知指定がされている場合には、その回線接続中に音声によって「非通知を解除して下さい」等のメッセージを出力するようにしてもよい。
【００２０】
電話番号が特定されると、ショートメッセージ送信手段では、携帯情報端末に対してショートメッセージによって、前記読み出したＵＲＬを送信する。この送信するＵＲＬは、ハイパーテキスト形式とすることで、元の発信者（サービスを受けようとする者）は、携帯情報端末に表示されているＵＲＬを選択することで、当該ＵＲＬのサイトへアクセスすることができる。
【００２１】
すなわち、ショートメッセージによるＵＲＬの送信とすることで、電子メールと異なり、アドレスの登録、変更等が不要となり、また、ショートメッセージの性質上、インターネットを介さないでの通信となるため、セキュリティ、プライバシーを保護することができる。
【００２２】
また、電子メールのようにＵＲＬ送信をするまでに遅延がないため、サービスを受けようとする者は、最初に電話をしてから比較的短時間で所望のＵＲＬを取得することができる。
【００２３】
第１の発明において、前記ショートメッセージ送信手段が、前記発信者電話番号取得手段で取得した発信者の電話番号に基づいて、前記携帯情報端末が加入しているショートメッセージサービスに対応した通信プロトコルに基づいて、送信することを特徴としている。
【００２４】
ショートメッセージは、ショートメッセージサービス（ＳＭＳ）に基づいて、携帯電話同士での短い文字メッセージを送受信するものであり、現状では、規格がキャリア（事業者）ごとに異なっている。このため、それぞれの規格に即した通信プロトコルを予め準備し、認識したサービスを受けようとする者の電話番号からキャリアを検索し、当該キャリアに適合する通信プロトコルを選択して利用する。なお、規格が統一化されれば、このような通信プロトコルの選択は不要となる。
【００２５】
第２の発明は、ショートメール送受信機能を備え、公衆電話回線網を介して通話又は通信が可能な携帯情報端末を対象として、ＵＲＬを通知するＵＲＬ通知サービスプログラムであって、コンピュータに、受信する電話番号に対応してＵＲＬを記憶するＵＲＬ記憶工程と、前記携帯情報端末から前記公衆電話回線網を介した接続状態を認識する接続状態認識工程と、前記接続状態認識手段で接続を認識した場合に、前記ＵＲＬ記憶手段から、受信した電話番号に対応するＵＲＬを読み出すＵＲＬ読出工程と、前記接続状態認識手段で接続を認識した場合に、発信側の電話番号を取得する発信者電話番号取得工程と、前記発信者電話番号取得手段で取得した電話番号に基づいて、前記発信者の携帯情報端末に向けてショートメールによって、前記ＵＲＬをハイパーテキスト形式で送信するショートメール送信工程と、を備えた処理を実行させることを特徴としている。
【００２６】
第２の発明によれば、サービスを受けようとする者が携帯情報端末を使って、所定の電話番号を入力し、電話をかける。この所定の電話番号とは、広告等に付記されている電話番号であり、広告主は、例えば、「・・・の詳細は携帯電話からこの電話番号へ」、「・・・の申込は携帯電話から下記の電話番号へ」等の注釈をつけて電話番号を付記する。以下、これを広告電話番号という。
【００２７】
接続を認識すると、この受信した広告電話番号に対応するＵＲＬを読み出すと共に、発信者の電話番号を取得する。例えば、携帯電話等では、デジタル通信であり、非通知指定がされていない限り、発信者の電話番号を特定することができる。言い換えれば、受信した際に、非通知指定がされている場合には、その回線接続中に音声によって「非通知を解除して下さい」等のメッセージを出力するようにしてもよい。
【００２８】
なお、集中して受信（着呼）があった場合に、これを所定の順序で処理するために時系列処理等、回線の接続管理を行うことが好ましい。
【００２９】
電話番号が特定されると、当該携帯情報端末に対してショートメッセージによって、前記読み出したＵＲＬを送信する。この送信するＵＲＬは、ハイパーテキスト形式とすることで、元の発信者（サービスを受けようとする者）は、携帯情報端末に表示されているＵＲＬを選択することで、当該ＵＲＬのサイトへアクセスすることができる。
【００３０】
すなわち、ショートメッセージによるＵＲＬの送信とすることで、電子メールと異なり、アドレスの登録、変更等が不要となり、また、ショートメッセージの性質上、インターネットを介さないでの通信となるため、セキュリティ、プライバシーを保護することができる。
【００３１】
また、電子メールのようにＵＲＬ送信をするまでに遅延がないため、サービスを受けようとする者は、最初に電話をしてから比較的短時間で所望のＵＲＬを取得することができる。
【００３２】
第２の発明において、前記取得した発信者の電話番号に基づいて、前記携帯情報端末が加入しているショートメッセージサービスに対応した通信プロトコルに基づいて、送信することを特徴としている。
【００３３】
ショートメッセージは、ショートメッセージサービス（ＳＭＳ）に基づいて、携帯電話同士での短い文字メッセージを送受信するものであり、現状では、規格がキャリア（事業者）ごとに異なっている。このため、それぞれの規格に即した通信プロトコルを予め準備し、認識したサービスを受けようとする者の電話番号からキャリアを検索し、当該キャリアに適合する通信プロトコルを選択して利用する。なお、規格が統一化されれば、このような通信プロトコルの選択は不要となる。
【００３４】
【発明の実施の形態】
図１は、携帯情報端末としての携帯電話１０を対象としたＵＲＬ通知サービスを実施するためのネットワーク構成が示されている。すなわち、携帯電話１０から、情報提供企業が作成した図２に示す広告１２（電車やバス等に見受けられる吊り下げ広告や、チラシ、テレビやラジオ等のメディア）に付記される電話番号（以下、広告電話番号という）に電話をかけることで、当該情報提供企業のホームページ等、情報提供企業に関するＵＲＬを取得するためのサービスである。
【００３５】
図１に示される如く、携帯電話１０は、当該携帯電話１０のキャリア（事業者）が管理する移動通信網１４へ無線によって情報（音声データ、文字・画像データを含む）の送受信を行うことが可能となっている。
【００３６】
移動通信網１４は、公衆電話回線網１６と接続されている。また、図示は省略したが、他の移動通信キャリアの移動通信網もこの公衆電話回線網１６に接続されており、これにより、携帯電話１０からは、公衆電話回線網１６に接続されている契約有線電話や他の移動通信キャリアと加入している携帯情報端末との情報の送受信が可能となっている。
【００３７】
また、移動通信網１４は、特定のプロバイダ１８を介してインターネット２０にも接続されており、前記携帯電話１０が持つブラウザ機能によってインターネット２０の様々なサイト（ホームページ）への接続（アクセス）も可能となっている。
【００３８】
公衆電話回線網１６には、本実施の形態に係る、ＵＲＬ通知システム２２の一部を構成する受付管理装置２４に設けられた複数の電話回線１６Ａが接続されている。
【００３９】
受付管理装置２４に接続される電話回線１６Ａは、予め依頼されることによって登録されるようになっており、携帯電話１０からその何れかの広告電話番号を入力することで、ＵＲＬ通知サービスに関する制御が開始する。
【００４０】
受付管理装置２４は、この受付管理装置２４と共にＵＲＬ通知システム２２を構成するＳＭＳ送信サーバー２６と接続されている。このＳＭＳ送信サーバー２６は、受付管理装置２４によって認識した発信者２７（図２参照）の携帯電話１０を対象として、ショートメッセージを用いてＵＲＬを送信する役目を有している。
【００４１】
なお、受付管理装置２４と、ＳＭＳ送信サーバー２６とは、同一のユニットとして設置してもよいし（図１に想像線で括ったユニット）、それぞれを独立させて設置し、受付管理装置２４を、複数のＳＭＳ送信サーバー２６に対応させ、受付を集中管理するようにしてもよい。以下、複数の広告電話番号を受け付けることが可能な受付管理装置２４として説明する。
【００４２】
受付管理装置２４には、電話交換機２８が設けられており、公衆電話回線網１６に接続された複数の広告電話番号に対応する複数の電話回線１６Ａが接続されている。
【００４３】
電話交換機２８には、接続状態認識部３０が接続されている。この接続状態認識部３０では、集中してかかっている電話に対して受付管理装置２４で処理可能なように、処理する電話を選択的にシリーズで（時系列で）発信者電話番号取得部３２へ回線接続信号を送出する役目を有している。
【００４４】
この接続状態認識部３０及び発信者電話番号取得部３２は、音声メッセージ選択部３４に接続されている。音声メッセージ選択部３４には、音声データメモリ３６が接続されており、適宜発信者２７への音声メッセージを読み出して、電話交換機２８を介して通知するようになっている。
【００４５】
例えば、発信者電話番号取得部３２では、ＵＲＬ通知サービスの概要を説明したり、ＵＲＬ通知を許諾するか（１＃押下案内）、拒否するか（０＃押下案内）を音声によって案内する。
【００４６】
また、前記接続状態認識部３０において、電話が込み合い即時の処理ができない場合に、「このまま、しばらくお待ち下さい。」とか、「ただいま回線が混雑しています。しばらく経ってからおかけ直し下さい。」等の音声メッセージを読み出して、発信者２７に通知する。
【００４７】
さらに、発信者電話番号取得部３２において、発信者２７からの電話に非通知設定がなされ、電話番号が特定できない場合に、「非通知設定を解除しておかけ直し下さい。」等のメッセージを読み出して、発信者２７へ通知する。
【００４８】
前記発信者電話番号取得部３２において、発信者２７の電話番号を取得すると、この発信者電話番号取得部３２から、ＳＭＳ送信サーバー２６へ発信者２７が携帯している携帯電話１０の自局電話番号（発信者電話番号）が送出されると共に、ＵＲＬ読出部３８に読出信号が送出される。
【００４９】
ＵＲＬ読出部３８には、前記接続状態認識部３０から広告電話番号が入力されており、前記読出信号をトリガとして、当該広告電話番号に基づくＵＲＬがＵＲＬ記憶部４０から読み出され、ＳＭＳ送信サーバー２６へ送出される。
【００５０】
ＳＭＳ送信サーバー２６は、前記発信者２７の自局電話番号（発信者電話番号）が入力され、かつＵＲＬが入力されると、発信者２７の電話番号に基づいてショートメッセージによって、ＵＲＬをハイパーテキスト形式で送信する。
【００５１】
ここで、ＳＭＳ（ショートメッセージサービス）は、発信者２７の電話番号をアドレスとして短い文字メッセージを送信するサービスであるため、発信者２７の携帯電話１０に登録された電子メールアドレス等は不要である。なお、ここでは、単一のＳＭＳ送信サーバー２６を図示しているが、現在国内では規格がキャリア（事業者）ごとに異なっている。このため、ＳＭＳ送信サーバー２６には、発信者２７の電話番号から特定されるキャリアによって通信プロトコルを変更する機能を持たせることが好ましい。また、キャリア毎にＳＭＳ送信サーバー２６を設置し、発信者２７の自局電話番号（発信者電話番号）から特定されるキャリアによって送信するＳＭＳ送信サーバー２６を選択してもよい。
【００５２】
ＳＭＳ送信サーバー２６は、電話回線１６Ｂを介して公衆回線網１６に接続されており、この公衆電話回線網１６及び前記発信者２７の携帯電話１０が加入している移動通信網１４を介して、ショートメッセージが携帯電話１０へ送信されるようになっている。
【００５３】
このショートメッセージを受信した携帯電話１０の表示部１０Ａには、ハイパーテキスト形式（例えば、通常の表示状態に対して反転表示で表示される等、他の文字とは目視で区別できる表示状態となっている。）のＵＲＬが表示され、発信者２７は、このハイパーテキスト形式で表示されたＵＲＬを選択することで、自動的にインターネット２０へアクセスし、所望の情報を入手することができる。
【００５４】
以下に本実施の形態の作用を、図３の通信プロトコル及び図４の制御フローチチャートに従い説明する。
【００５５】
まず、サービスを受けようとする者が、広告１２を見て興味を持ち、この広告１２に付記された電話番号（広告電話番号）に基づいて電話をかけることにより、ＵＲＬ通知サービスを受ける意思を通知することになる。
【００５６】
すなわち、図２に示されるような広告１２に「○×△バンクの申込みは、携帯電話から」というキャッチコピーに続いて、以下のような説明文が記載されているとする。
【００５７】
（説明文の例）
「このサービスは、サイト案内サービスです。掲載されている電話番号にダイヤルされて１＃を押すと、サイトの案内をあなたの携帯電話にショートメッセージで送ります。このダイヤルには通信料がかかります。なお、通信状態によりメールの到着が遅れる場合が稀にありますのでご了承ください。また、発信者番号通知はオンにされてください。」
この説明文において、「メールの到着が遅れる・・・」は、公衆回線網の混雑や発信者２７の携帯電話１０が通話中のことを指し、電子メール等に起こり得る通信遅延とは異なるものである。
【００５８】
広告電話番号に電話をかけると（図３の▲１▼参照）、受付管理装置２４の電話交換機２８がこれを受け、回線がつながると（図４のステップ１００）、接続状態認識部３０が起動する。接続状態認識部３０では、現在の電話のかかり具合を調整し、処理順序を決定する（図４のステップ１０２）。
【００５９】
処理順序となると、回線接続信号が発信者番号取得部３２へ送出され、実質的にＵＲＬ通知サービスが開始される。
【００６０】
なお、接続状態認識部３０において、回線が混雑し、対応が遅延する回線が存在する場合には（図４のステップ１０４の肯定判定）、音声データメモリ３６から「このまま、しばらくお待ち下さい。」とか、「ただいま回線が混雑しています。しばらく経ってからおかけ直し下さい。」等の音声メッセージを読み出して、発信者２７に通知する（図４のステップ１０６）。
【００６１】
発信者２７はこれを聞き、そのまま待機するか、一旦回線を切断して適宜時期にかけ直すことになる。待機している場合は、回線がつながっているため、図４のステップ１０８で否定判定され、ステップ１０２へ戻り、切断した場合は、図４のステップ１０８で肯定判定され、処理は終了する。
【００６２】
図４のステップ１０４で遅延回線処理が必要ないと判断された場合には、ステップ１１０へ移行して、発信者電話番号取得部３２において発信者の電話番号を取得する。
【００６３】
この発信者電話番号取得部３２において、発信者２７の携帯電話１０に非通知設定がなされ、自局電話番号（発信者電話番号）が特定できない場合に（図４のステップ１１２の否定判定）、「非通知設定を解除しておかけ直し下さい。」等のメッセージを読み出して、発信者２７へ通知する（図４のステップ１１４）。その後、回線を切断し（図４のステップ１１６）、処理は終了する。
【００６４】
上記のような不都合（遅延、発信者電話番号取得）がない場合には（図４のステップ１１２で肯定判定）、音声データメモリ３６から以下のようなサービスアナウンスメッセージが読み出され、発信者２７へ通知する（図３の▲２▼参照）。
【００６５】
（サービスアナウンスメッセージ例＜その１＞）
「このサービスは、あなた様のご希望されたサイトの案内を、あなた様の携帯電話にショートメッセージでお送りするサービスです。ショートメッセージをお送りしてもよろしければ、１＃を押して電話を切ってお待ち下さい。また、拒否される場合は０＃を押してください。」
上記サービスアナウンスメッセージを通知する場合には、前記発信者電話番号取得部３２では、発信者２７の電話番号を認識しており、この発信者２７の電話番号をＳＭＳ送信サーバー２６へ送信すると共に読出信号をＵＲＬ読出部３８へ送出する。
【００６６】
なお、発信者２７の都合で、０＃が操作された場合には、例えば、「ご利用ありがとうございました。」等の音声メッセージを流し、電話を切るようにすればよい。
【００６７】
一方、前記サービスアナウンスメッセージを聞いた発信者２７が携帯電話１０から１＃（許諾）を操作した場合には、ＵＲＬ読出部３８では、この読出信号がトリガとなって、接続状態認識部３０から入力される広告電話番号に基づいて、ＵＲＬ記憶部４０からＵＲＬを読出し（図４のステップ１１８）、ＳＭＳ送信サーバー２６へ送出する（図４のステップ１２０）。
【００６８】
ＳＭＳ送信サーバー２６では、発信者２７の電話番号からキャリアを識別し（図４のステップ１２２）、次いでステップ１２４において、当該識別したキャリアに即した通信プロトコルに基づいて、発信者２７の携帯電話１０へ以下のＵＲＬ通知メッセージと共にハイパーテキスト形式でＵＲＬをショートメッセージで送信する（図３の▲４▼参照）。なお、このＵＲＬ通知メッセージは、音声ではなく、発信者２７の携帯電話１０の表示部１０Ａに表示されるものである。
【００６９】
（ＵＲＬ通知メッセージ例）
「サービスのご利用ありがとうございます。あなた様のご希望された○×△バンクのサイトをご案内します。サイトをご覧になられる場合は、下記のＵＲＬをクリック（選択）して下さい。」
発信者２７は、このショートメッセージを見て、ハイパーテキスト形式のＵＲＬを選択すると、ＵＲＬを直接キー操作で入力しなくても、自動的にプロバイダ１８を介してインターネット２０へ接続され（図３の▲５▼参照）、所望のサイトを閲覧することができる（図３の▲６▼参照）。
【００７０】
このように、本実施の形態では、ＵＲＬ通知サービスの主体をＳＭＳ（ショートメッセージサービス）とし、利用者（発信者２７）が広告に付記された広告電話番号に電話をかけるのみで、当該広告に関するＵＲＬをハイパーテキスト形式で取得できるため、ＵＲＬのへの入力を容易に行うことができる。
【００７１】
また、ＳＭＳでのＵＲＬ通知サービスであるため、利用者（発信者２７）が予め電子メールアドレスを登録したり、発信の度に電子メールアドレスを通知する必要がない。このため、利用者の都合により電子メールアドレスが変更されても何ら影響なくサービスを継続することができる。また、セキュリティやプライバシーの面からも保護されるため、例えば迷惑メール等の対象となることもない。
【００７２】
さらに、電子メールの場合、パケット通信の特性上、遅延が発生することが多々あるが、ＳＭＳの場合はこのようなことはなく、発信者２７の携帯電話１０が電源を切っているか圏外の場合以外は、ほぼリアルタイムにＵＲＬ通知サービスを行うことができる。
【００７３】
なお、本実施の形態では、ＵＲＬ通知サービスシステム２２として、受付管理装置２４とＳＭＳ送信サーバー２６とを別体とし、受付管理装置２４を複数の広告電話番号を受信可能な集中管理タイプとし、広告を出した情報提供企業とは別の企業（サービス運営業者）で受付管理業務を行い、ＳＭＳ送信サーバー２６のみを情報提供企業に据置したが、図５に示される如く、受付管理装置２４とＳＭＳ送信サーバー２６とを一体とし、１箇所（例えば、情報提供企業）で一括管理するようにしてもよい。
【００７４】
また、本実施の形態では、ＳＭＳ送信サーバー２６を装備し、自動的にＵＲＬを通知する構成としたが、図６に示される如く、受付管理装置２４から該当する情報提供企業のオペレータ４２に情報提供依頼があったことを通知することで、発信者２７と情報提供企業との通話を行えるようにしてもよい。この場合、例えば、サービスアナウンスメッセージを以下のようにすればよい。
【００７５】
（サービスアナウンスメッセージ例＜その２＞）
「このサービスは、あなた様のご希望されたサイトの案内を、あなた様の携帯電話にショートメッセージでお送りするサービスです。ショートメッセージをお送りしてもよろしければ、１＃を押して電話を切ってお待ち下さい。また、拒否される場合は０＃、オペレータと直接お話しを希望する場合には、２＃を押してください。」
これにより、発信者２７の希望により、直接情報提供企業との通話も可能となる。なお、通話後にＵＲＬを通知することも可能である。
【００７６】
【発明の効果】
以上説明したように本発明は、電子メールアドレスの事前登録が不要であり、かつセキュリティ、プライバシーを確実に保護することができると共に、１回のサービスを迅速かつ確実に処理することができるという優れた効果を有する。
【図面の簡単な説明】
【図１】本実施の形態に係るＵＲＬ通知サービスシステム構成図である。
【図２】本実施の形態に係るＵＲＬ通知サービスの流れを示す概略図である。
【図３】本実施の形態に係るＵＲＬ通知サービスを実行するための通信プロトコルである。
【図４】本実施の形態に係るＵＲＬ通知サービスの流れを示すフローチャートである。
【図５】変形例に係るＵＲＬ通知サービスの流れを示す概略図である（受付管理装置、ＳＭＳ送信サーバー一体化）。
【図６】変形例に係るＵＲＬ通知サービスの流れを示す概略図である（オペレータ案内機能付加）。
【符号の説明】
１０    携帯電話
１０Ａ    表示部
１２    広告
１４    移動通信網
１６    公衆電話回線網
１６Ａ    電話回線
１６Ｂ    電話回線
１８    プロバイダ
２０    インターネット
２２    ＵＲＬ通知システム（ＵＲＬ通知サービスシステム）
２４    受付管理装置
２６    ＳＭＳ送信サーバー（ショートメッセージ送信手段）
２７    発信者
２８    電話交換機
３０    接続状態認識部（接続状態認識手段）
３２    発信者電話番号取得部（発信者番号取得手段）
３４    音声メッセージ選択部
３６    音声データメモリ
３８    ＵＲＬ読出部（ＵＲＬ読出手段）
４０    ＵＲＬ記憶部（ＵＲＬ記憶手段）
【図１】
2004289408.tif 000003
【図２】
2004289408.tif 000004
【図３】
2004289408.tif 000005
【図４】
2004289408.tif 000006
【図５】
2004289408.tif 000007
【図６】
2004289408.tif 000008